【事件の表示】
　特願２００８−２２０５５９「表示処理装置および表示処理方法」拒絶査定不服審判事件〔平成２２年　３月１１日出願公開、特開２０１０−　５５４３１〕について、次のとおり審決する。
【結　論】
　本件審判の請求は、成り立たない。
【理　由】
１．手続の経緯
　本願は、平成２０年８月２８日の出願であって、平成２１年９月３０日付けで拒絶理由通知がなされ、同年１２月２日付けで手続補正がなされたが、平成２２年３月１２日付けで拒絶査定がなされ、これに対し、同年６月１６日に拒絶査定不服審判の請求がなされるとともに、同日付けで手続補正がなされ、当審において、平成２３年１１月２９日付けで前置報告書を利用した審尋がなされ、平成２４年２月６日付けで回答書が提出されたものである。
　
２．平成２２年６月１６日付けの手続補正についての補正却下の決定
［補正却下の決定の結論］
　平成２２年６月１６日付けの手続補正を却下する。
　
［理由］
（１）補正後の請求項１に係る発明
　平成２２年６月１６日付けの手続補正（以下、「本件手続補正」という。）は、特許請求の範囲の請求項１を、
「検索対象データの選択操作を受け付ける操作受付手段と、
　前記検索対象データの内容を示す表示情報を所望の位置に配置するとともに、前記検索対象データに関連する他のデータの内容を示す表示情報をそれぞれ配置した一覧情報を表示する表示手段と、
　を備え、
　前記表示手段は、さらに、前記操作受付手段が受け付けた操作により、前記検索対象データの表示情報が更新された場合に、更新された前記検索対象データに関連する他のデータの内容を示す表示情報をそれぞれ再配置した一覧情報を表示すること、
　を特徴とする表示処理装置。」
から、
「検索対象データの選択操作を受け付ける操作受付手段と、
　前記検索対象データの内容を示す表示情報を所望の位置に配置するとともに、
前記所望の位置から放射方向に向けて存在する、データの属性を示す項目毎に分別された所定領域に、
と当該属性毎に
　を備え、
　前記表示手段は、さらに、前記操作受付手段が受け付けた操作により、前記検索対象データの表示情報が更新された場合に、更新された前記検索対象データに関連する他のデータの内容を示す表示情報をそれぞれ再配置した一覧情報を表示すること、
　を特徴とする表示処理装置。」
に補正することを含むものである。
　
　上記補正は、補正前の請求項１における「前記検索対象データの内容を示す表示情報を所望の位置に配置するとともに、前記検索対象データに関連する他のデータの内容を示す表示情報をそれぞれ配置した一覧情報を表示する表示手段」を「前記検索対象データの内容を示す表示情報を所望の位置に配置するとともに、
前記所望の位置から放射方向に向けて存在する、データの属性を示す項目毎に分別された所定領域に、
と当該属性毎に
　そこで、本件手続補正後の上記請求項１に係る発明（以下、「本願補正発明」という。）が特許出願の際独立して特許を受けることができるものであるか（平成２３年法律第６３号改正附則第２条第１８項によりなお従前の例によるとされる同法による改正前の特許法第１７条の２第６項において準用する同法第１２６条第５項の規定に適合するか）について、以下に検討する。
　
（２）引用例及び周知例
　原査定の拒絶の理由に引用された特開２００８−１３００３２号公報（以下、「引用例」という。）、及び原査定の備考欄において周知例として引用された特開２００７−６６２８５号公報（以下、「周知例」という。）には、図面とともに次の事項が記載されている。（以下の摘記中の下線は、当審において付与したものである。）
　
（引用例）
ア．「【技術分野】
【０００１】
　
本発明は、
テレビジョン装置などのデジタル放送信号を受信・記録した記録媒体からコンテンツを抽出し、表示するためのコンテンツ抽出装置
に関する。
　
イ．「【０００８】
  図２２は、コンテンツを分類配置する従来技術の概念を説明するための構成例を示す図であり、図２３はその処理の流れを示すフローチャート図である。まず、図２２に示す概念ベクトル算出処理部１０７は、コンテンツＤＢ１１５に格納されているコンテンツの概要説明文を読み出し（ステップＳ５０１）、概念ベクトルを算出する。この際、概念ベクトルは多次元ベクトルとして表される。算出した概念ベクトルは、各コンテンツに対応付けてコンテンツＤＢ１１５に格納する（ステップＳ５０２）。次に、２次元座標算出処理部１０５は、各コンテンツの概念ベクトルを用いて、全ての二つのコンテンツの組合せについて、コンテンツ間の距離を算出する（ステップＳ５０３）。そして、多次元尺度構成法によって、コンテンツの２次元平面上での位置情報を算出する（ステップＳ５０４）。多次元尺度構成法は、高次元ベクトル空間から低次元空間への圧縮アルゴリズムである。このようにして算出された位置情報を基に、マップ画像を作成する（ステップＳ５０５）。コンテンツ表示部１１０は、作成されたコンテンツのマップ画像を、入力部１１７から入力されるユーザからの要求に応えて表示する（ステップＳ５０６）。概要説明文から概念ベクトルを算出する方法については、非特許文献３を参照可能である。
【０００９】
　上記非特許文献１、２及び特許文献１に代表されるコンテンツを空間配置する手法においては、類似度の差が小さいコンテンツは近くに集まり、類似度の差が大きいコンテンツは遠くに集まるというように、コンテンツ間の類似度をもとに配置することを可能にする。すなわち、記録されたコンテンツ全体の傾向（分布状態）と、コンテンツの相互関係の把握が容易になり、図２２のコンテンツ表示部１１０に示されるようなコンテンツマップ上を自由に散策するようにコンテンツを選ぶことが可能になり、コンテンツ選択の利便性を向上させている。特に、上記手法は、コンテンツ選択に明確な選択意図を持たないために、コンテンツのジャンルや、コンテンツに付加された個々のメタデータやキーワードを用いたコンテンツ選択方法が向かない場合の、コンテンツ選択用のコンテンツ表示方法として有効である。」
　
ウ．「【００２２】
　
本発明は、
コンテンツ間の類似度を基にコンテンツを空間に配置する技術（非特許文献１）をベースにしている。
【００２３】
　これにより、コンテンツ空間上において、類似度の高いコンテンツは近くに、低いコンテンツは遠くに配置される。但し、実際にマップを作成する必要はなく、配置座標を持っているだけでもよい。コンテンツマップは多次元でも可能であるが、以下の説明では、２次元空間上にコンテンツが配置されている場合を例に説明する。また、
検索時直前に視聴していたコンテンツを中心に、抽出したコンテンツをその周囲に表示する
【００２４】
　以下に、本発明の一実施の形態によるコンテンツ抽出技術について図面を参照しながら説明を行う。
【００２５】
　まず、本発明の第１の実施の形態によるコンテンツ抽出技術について説明する。
　本実施の形態は、上記解決手段（１）に対応する実施の形態である。本実施の形態は、あるコンテンツＫｉと類似度が同じコンテンツが所定数ｎ個（たとえば８個）より多く存在する場合に、その中からｎ個の代表コンテンツを抽出する方法の一つであり、あるコンテンツＫｉから所定の距離ｒの円周を所定数ｎ（ここでは８個）の領域に分割して、各領域の重心位置を算出し、その重心位置に存在するコンテンツを抽出して表示することを特徴とする。
【００２６】
　図１に示すように、本実施の形態によるコンテンツ抽出装置Ａは、従来技術（図２２）と同様の構成を有するコンテンツ配置座標演算部６に加えて、ユーザの行動を検出する行動検出部２１とコンテンツの配置座標を基に視聴候補となるコンテンツを抽出するコンテンツ抽出部７を備えることを特徴とする。
【００２７】
　従来技術（図２２）では、コンテンツマップを作成することを特徴としているが、本実施の形態では、コンテンツマップを作成することは必ずしも必要でない。また、コンテンツの配置座標は２次元でなく、多次元でもよい。但し、以下の説明では、２次元配置座標を用いた場合を例にする。図１は、本発明の第１の実施の形態に係るコンテンツ抽出装置Ａの一構成例を示す機能ブロック図である。図１に示すように、本実施の形態によるコンテンツ抽出装置Ａは、以下の構成要素を備えている。
【００２８】
１）コンテンツ配置座標演算部６：従来技術（図２２）と同じ構成を有しており、コンテンツＤＢ２、概念ベクトル算出処理部６ｃ、２次元座標算出処理部６ｂ、マップ作成処理部６ａを備えている。但し、マップ作成処理部６ａは任意に設けられる。コンテンツＤＢ２には、コンテンツと共に、コンテンツの配置座標が記録される。
２）行動検出部２１：例えば、ユーザのリモコン操作や顔の向き、視線、体温や心拍などのセンサを含んで構成され、ユーザがどのコンテンツを視聴しているかを常時検出すると共に、ユーザの検索開始タイミングを検出する。
３）コンテンツ抽出部７：配置座標取得部７ａ、候補確認部７ｂ、重心絞込み部７ｃを備えている。
３−１）配置座標取得部７ａは、
検索開始直前に視聴していたコンテンツＫｉ
３−２）候補確認部７ｂは、取得されたコンテンツ数Ｎが所定数ｎよりも多いかどうかを判断する。
３−３）重心絞込み部７ｃは、コンテンツ数Ｎが所定数ｎよりも多いとき、ｎ個に絞り込むために、距離ｒの円周領域をｎ分割し、各領域の重心位置を求めて、その重心に位置するコンテンツを抽出する。
【００２９】
　次に、重心絞込み部７ｃにおいて、コンテンツ間の類似度を基に、所定数ｎ個（たとえばディスプレイ上に一覧表示可能な１個から８個）のコンテンツを視聴候補として抽出する手法について説明する。
表示部に表示するコンテンツは、コンテンツそのものであり、或いはそのサムネイルなど内容を実際に表示するものであれば良い。
【００３０】
　まず、あるコンテンツＫｉ（たとえば、検索直前に視聴していたコンテンツ）と所定の類似度を有するコンテンツ数Ｎが、所定数ｎより少ない場合は、全コンテンツを抽出し、表示する。Ｎがｎより多い場合は、ｎ個に絞り込む必要が生じる。この解決手段では、コンテンツ間の類似度を基に、代表コンテンツｎ個を抽出する手段として、コンテンツ群の重心を用いる。」
　
エ．「【００３１】
　次に、コンテンツ群の重心を用いる方法について説明する。あるコンテンツＫｉ（たとえば、検索直前に視聴していたコンテンツ）との類似度を基にコンテンツ空間をｎ個（たとえば１個乃至８個）の領域に分割する。次に、各領域の重心位置を求め、そこに位置するコンテンツ（計ｎ個）を代表コンテンツとして抽出し、当該配置座標を有するコンテンツをコンテンツＤＢ２ａから抽出して表示する。なお、本実施例では図示していないが、コンテンツＤＢ２ａそのものはネットワーク上に蓄積するようにしてもよい。
【００３２】
（ｎ個の領域への分割方法）
　図３は、コンテンツ空間の表示例を示す図である。コンテンツ表示部２０には、多数のコンテンツ４１が表示されている。
【００３３】
（１）コンテンツＫｉと類似度が同じｎ個を抽出する方法：
(ア)コンテンツＫｉと類似度が同じｎ個を抽出するには、図４に示すように、コンテンツＫｉを中心（（１）に対応）に、所定距離ｒの円周４３をｎ個（Ｌにより）に分割する。図４はｎ個に等分割した例である。等分割された領域４３は、２）から９）までの領域である。領域４３毎の円周上に位置するコンテンツ群の重心コンテンツを抽出する。同じ円周上のコンテンツを選択することで、類似度が同じ８種類のコンテンツが選ばれる。
  図５は、円周Ｌをｎ個に不等分割した例を示す図である。距離ｒの円周４３上には、複数のコンテンツが存在するため、ｎ分割された各領域の重心を求め、重心に位置するコンテンツをひとつずつ、計ｎ個を抽出する。ユーザには、たとえば、図９の画面２０中央に現在見ているコンテンツＫｉ（４３）を、その周囲に各領域の重心に位置するコンテンツ（計ｎ個：４３−１〜４３−８）を表示する（図９）。これにより、コンテンツＫｉとある一定の類似度を持つ代表コンテンツｎ個からユーザがコンテンツを選択できるようになる。
(イ)上記（ア）において、距離ｒの円周を分割する際、ｎ等分するのではなく、以下のようにしてもよい。すなわち、予め全コンテンツ４１を、コンテンツ４１が持つ意味ベクトル間のユークリッド距離に基づいてＫ−ｍｅａｎｓ法などによりクラスタ化し、クラスタ毎に分割するようにする（図６：４５−１〜４５−４）。
(ウ)尚、上記（ア）において、分割したｎ個の領域内で１つずつランダムにｎ個を抽出してもよい。」
　
　上記ア．〜エ．の記載から、以下のことがいえる。
　
（ア）上記ア．の「本発明は、・・・テレビジョン装置などのデジタル放送信号を受信・記録した記録媒体からコンテンツを抽出し、表示するためのコンテンツ抽出装置・・・に関する。」との記載から、引用例のものは、現在放送されているデジタル放送番組や、過去に記録媒体に記録した録画番組を視聴するごく普通のテレビジョン装置に向けられたコンテンツ抽出装置であることが前提になっているものと解される。
　よって、上記ウ．の段落【００２８】の「検索開始直前に視聴していたコンテンツＫｉ」は、検索開始直前に視聴者が選択して視聴していた放送中のデジタル放送番組に係るコンテンツか、あるいは、過去に記録媒体に記録したデジタル放送番組の中から視聴者が選択して視聴していたコンテンツ等が想定され、いずれにしても、該コンテンツの選択操作を受け付ける「操作受付手段」が実質的に存在するものと解される。
　
（イ）上記ウ．の段落【００２３】の「検索時直前に視聴していたコンテンツを中心に、抽出したコンテンツをその周囲に表示する」との記載、及び段落【００２９】の「表示部に表示するコンテンツは、コンテンツそのものであり、或いはそのサムネイルなど内容を実際に表示するものであれば良い。」との記載から、図１の「表示部２０」は、「検索時直前に視聴していたコンテンツ」の内容を表示する「サムネイル」等を「中心」に配置するとともに、「抽出したコンテンツ」の内容を表示する「サムネイル」等を「周囲」に配置するものである。
　そして、上記「抽出したコンテンツ」は、上記ウ．の段落【００２２】の「本発明は、・・・コンテンツ間の類似度を基にコンテンツを空間に配置する技術（非特許文献１）をベースにしている。」との記載から明らかなように、「検索時直前に視聴していたコンテンツ」と「類似」する他のコンテンツである。
　さらに、図１の「表示部２０」に表示されている態様を見ると、「中心」に配置された「検索時直前に視聴していたコンテンツ」の「サムネイル」と、その「周囲」に配置された８つの「抽出したコンテンツ」は、一覧することのできるものであり、「一覧情報」と呼べるものである。
　
　上記（ア）、（イ）の事項を踏まえると、引用例には、次の発明が記載されているものと認められる。（以下、「引用例記載の発明」という。）
「コンテンツＫｉの選択操作を受け付ける操作受付手段と、
　前記コンテンツＫｉの内容を表示するサムネイル等を中心に配置するとともに、周囲の領域に、前記コンテンツＫｉと類似する他のコンテンツの内容を表示するサムネイル等をそれぞれ配置した一覧情報を表示する表示部と、
　を備えるコンテンツ抽出装置。」
　
（周知例）
オ．「【０３１０】
　 図２１は、コンテンツ選択画面としてのジャンプ画面の構成例を示している。なお、図２１の例において、図１０と対応する部分には、対応する符号が付してあり、その説明は繰り返しになるので省略する。
【０３１１】
　ジャンプ画面５１１は、リンク表示部５２１および操作設定表示部５２２により構成される。図２１の例においては、再生されているコンテンツのアーティスト、または選択されたアーティストに関連するアーティストを示すアーティストジャンプ（Artist Jump）の場合のリンク表示部５２１が示されている。
【０３１２】
　関連するアーティストとは、例えば、現在または過去の所属のグループのアーティスト、所属のプロダクションなどが同じアーティスト、同じライブに参加することが多いアーティスト、曲調が似ているアーティストなどが含まれる。
【０３１３】
　リンク表示部５２１には、「アーティスト名Ａ」のアイコン（以下、アーティストアイコンＡとも称する）が円５３１の中心に表示され、アーティスト名Ａのアーティストに関連する関連アーティストとして、「アーティスト名Ｂ」、「アーティスト名Ｃ」、「アーティスト名Ｄ」、「アーティスト名Ｅ」、「アーティスト名Ｆ」、「アーティスト名Ｇ」、「アーティスト名Ｈ」、「アーティスト名Ｉ」のアイコン（以下、それぞれ、アーティストアイコンＢ，Ｃ，Ｄ，Ｅ，Ｆ，Ｇ，Ｈ，Ｉとも称する）が円５３１の円周上に表示されている。
【０３１４】
　そして、中心のアーティストアイコンＡから、円周上の各アーティストアイコンには、関連を示すラインが表示されている。また、円５３１内には、中心と円周を結んだ扇形のマーク５３２が表示されており、マーク５３２が中心を軸として回転することで、あたかもアーティストアイコンＡから円周上のアーティストアイコンに照射されるレーダが動作しているように表示されている。
【０３１５】
　リンク表示部５２１において、ユーザの操作に基づいて、円５３１の円周上のアーティストアイコン（例えば、アーティストアイコンＢ）が選択された場合、選択された関連アーティストアイコンＢが、円５３１の中心に表示され、円周上には、アーティスト名Ｂのアーティストの関連アーティストのアーティストアイコンが表示される。なお、このときの各アイコンの遷移は、アニメーション表示される。」
　
　上記オ．の記載、及び図２１を参照すると、周知例には、次の技術が記載されているものと認められる。（以下、「周知例記載の技術」という。）
「選択されたアーティスト（アーティスト名Ａ）のアイコンを円の中心に表示し、該選択されたアーティスト（アーティスト名Ａ）に関連するアーティスト（アーティスト名Ｂ，Ｃ，Ｄ，Ｅ，Ｆ，Ｇ，Ｈ，Ｉ）のアイコンを円の円周上に表示するコンテンツ選択画面において、ユーザの操作に基づいて、円周上のアーティスト（アーティスト名Ｂ）のアイコンを選択した場合に、該アーティスト（アーティスト名Ｂ）のアイコンが円の中心に表示され、円周上には、該アーティスト（アーティスト名Ｂ）の関連アーティストのアイコンが再配置されて表示されること。」
　
（３）対比
　本願補正発明と引用例記載の発明とを対比すると、次のことがいえる。
　
ア．引用例記載の発明における「コンテンツＫｉ」、「コンテンツＫｉの内容を表示するサムネイル等」は、本願補正発明における「検索対象データ」、「検索対象データの内容を示す表示情報」に相当する。
　
イ．引用例記載の発明において、「コンテンツＫｉの内容を表示するサムネイル等」を配置する「中心」は、ユーザがその部分に配置されたコンテンツが検索対象となっているコンテンツであることがわかるように所望された位置であると解され、本願補正発明における「所望の位置」に相当する。
　
ウ．引用例記載の発明における「周囲の領域」は、「中心」から放射方向に向けて存在する所定領域といえる領域であり、また、引用例記載の発明における「類似する他のコンテンツの内容を表示するサムネイル等」、「表示部」は、本願補正発明における「関連する他のデータの内容を示す表示情報」、「表示手段」に相当する。
　よって、引用例記載の発明における「コンテンツＫｉの内容を表示するサムネイル等を中心に配置するとともに、周囲の領域に、前記コンテンツＫｉと類似する他のコンテンツの内容を表示するサムネイル等をそれぞれ配置した一覧情報を表示する表示部」と、本願補正発明における「検索対象データの内容を示す表示情報を所望の位置に配置するとともに、前記所望の位置から放射方向に向けて存在する、データの属性を示す項目毎に分別された所定領域に、前記検索対象データと当該属性毎に関連する他のデータの内容を示す表示情報をそれぞれ配置した一覧情報を表示する表示手段」とは、「検索対象データの内容を示す表示情報を所望の位置に配置するとともに、前記所望の位置から放射方向に向けて存在する所定領域に、前記検索対象データと関連する他のデータの内容を示す表示情報をそれぞれ配置した一覧情報を表示する表示手段」である点において共通するといえる。
　
エ．引用例記載の発明における「コンテンツ抽出装置」は、表示処理も行うものであり、本願補正発明における「表示処理装置」に相当するといえる。
　
　上記ア．〜エ．の事項を踏まえると、本願補正発明と引用例記載の発明とは、
「検索対象データの選択操作を受け付ける操作受付手段と、
　前記検索対象データの内容を示す表示情報を所望の位置に配置するとともに、前記所望の位置から放射方向に向けて存在する所定領域に、前記検索対象データと関連する他のデータの内容を示す表示情報をそれぞれ配置した一覧情報を表示する表示手段と、
　を備える表示処理装置。」
である点で一致し、次の点で相違する。
　
（相違点）
　相違点１：「検索対象データの内容を示す表示情報を所望の位置に配置するとともに、前記所望の位置から放射方向に向けて存在する所定領域に、前記検索対象データと関連する他のデータの内容を示す表示情報をそれぞれ配置した一覧情報を表示する表示手段」が、本願補正発明においては、「検索対象データの内容を示す表示情報を所望の位置に配置するとともに、前記所望の位置から放射方向に向けて存在する
、データの属性を示す項目毎に分別された
当該属性毎に
　
　相違点２：本願補正発明における「表示手段」は、「さらに、前記操作受付手段が受け付けた操作により、前記検索対象データの表示情報が更新された場合に、更新された前記検索対象データに関連する他のデータの内容を示す表示情報をそれぞれ再配置した一覧情報を表示する」ものであるのに対し、引用例記載の発明における「表示部（表示手段）」は、そのようなものであるとはされていない点。
　
（４）判断
　そこで、上記相違点１，２について検討する。
　
（相違点１について）
　本願の出願前に頒布された特開２０００−１２３０３５号公報には、次の記載がなされている。
「【００２６】図４は表示装置により表示されるウィンドウ表示例を示す図である。図４の表示例によれば、表示装置７において表示されるウィンドウ７ａが示されており、そこにデータを時間順に接続していく渦表示線８とデータをカテゴリごとに分類表示する分割線９とが表示され、渦表示線８上にデータの識別子が表示されている。」
　上記記載及び図４によれば、ＧＵＩ（グラフィカルユーザインタフェース）の技術分野において、データの属性（カテゴリ）を示す項目（カテゴリ１，２，３）毎に分けた領域を画面の中心から放射状に表示し、その領域の中に属性（カテゴリ）毎にデータを分別して表示させる技術は、公知の技術である。
　してみれば、引用例記載の発明に対して上記公知の技術を適用することにより、「コンテンツＫｉ（検索対象データ）の内容を表示する（示す）サムネイル等（表示情報）を中心（所望の位置）に配置するとともに、周囲の領域（前記所望の位置から放射方向に向けて存在する所定領域）に、前記コンテンツＫｉ（検索対象データ）と類似する（関連する）他のコンテンツ（データ）の内容を表示する（示す）サムネイル等（表示情報）をそれぞれ配置した一覧情報を表示する表示部（表示手段）」を「検索対象データの内容を示す表示情報を所望の位置に配置するとともに、前記所望の位置から放射方向に向けて存在する
、データの属性を示す項目毎に分別された
当該属性毎に
　
（相違点２について）
　上記周知例記載の技術に見られるように、一般に、ＧＵＩ（グラフィカルユーザインタフェース）の技術分野において、ユーザの操作により、ある位置（中心）に配置されたデータの表示情報が更新（アーティスト名Ａからアーティスト名Ｂ）された場合に、それに伴い、周囲の表示情報が、更新されたデータ（アーティスト名Ｂ）に関連する他のデータ（アーティスト名Ｂに関連するアーティスト）の表示情報となるように再配置されることは、ごく普通のことにすぎない。
　してみれば、引用例記載の発明に対して上記周知例記載の技術を適用することにより、「表示部（表示手段）」を「さらに、前記操作受付手段が受け付けた操作により、前記検索対象データの表示情報が更新された場合に、更新された前記検索対象データに関連する他のデータの内容を示す表示情報をそれぞれ再配置した一覧情報を表示する」ものとすることは、当業者が容易に想到し得ることである。
　
（本願補正発明の作用効果について）
　そして、本願補正発明の構成によってもたらされる効果も、引用例記載の発明、特開２０００−１２３０３５号公報に見られる公知の技術、及び周知例記載の技術から当業者が容易に予測することができる程度のものであって、格別のものとはいえない。
　
　したがって、本願補正発明は、引用例記載の発明、特開２０００−１２３０３５号公報に見られる公知の技術、及び周知例記載の技術に基いて、当業者が容易に発明をすることができたものであるから、特許法第２９条第２項の規定により、特許出願の際独立して特許を受けることができないものである。
　
（５）むすび
　よって、本件手続補正は、平成２３年法律第６３号改正附則第２条第１８項によりなお従前の例によるとされる同法による改正前の特許法第１７条の２第６項において準用する同法第１２６条第５項の規定に違反するものであり、特許法第１５９条第１項において読み替えて準用する同法第５３条第１項の規定により却下されるべきものである。
　
３．補正却下の決定を踏まえた検討
（１）本願発明
　平成２２年６月１６日付けの手続補正は、上記のとおり却下されたので、本願の請求項１に係る発明は、平成２１年１２月２日付け手続補正書の特許請求の範囲の請求項１に記載されたとおりの次のものと認める。（以下、「本願発明」という。）
「検索対象データの選択操作を受け付ける操作受付手段と、
　前記検索対象データの内容を示す表示情報を所望の位置に配置するとともに、前記検索対象データに関連する他のデータの内容を示す表示情報をそれぞれ配置した一覧情報を表示する表示手段と、
　を備え、
　前記表示手段は、さらに、前記操作受付手段が受け付けた操作により、前記検索対象データの表示情報が更新された場合に、更新された前記検索対象データに関連する他のデータの内容を示す表示情報をそれぞれ再配置した一覧情報を表示すること、
　を特徴とする表示処理装置。」
　
（２）引用例
　これに対して、原査定の拒絶の理由に引用された引用例とその記載事項は、上記２．（２）に記載したとおりである。
　
（３）対比・判断
　本願発明は、上記２．で検討した本願補正発明における「前記検索対象データの内容を示す表示情報を所望の位置に配置するとともに、
前記所望の位置から放射方向に向けて存在する、データの属性を示す項目毎に分別された所定領域に、
と当該属性毎に
　そうすると、本願発明の構成要件を全て含み、さらに「表示手段」についての特定の限定を施したものに相当する本願補正発明が、上記２．（４）に記載したとおり、引用例記載の発明、特開２０００−１２３０３５号公報に見られる公知の技術、及び周知例記載の技術に基いて、当業者が容易に発明をすることができたものであるから、本願発明は、上記「表示手段」についての特定の限定に関して引用した特開２０００−１２３０３５号公報に見られる公知の技術を参酌するまでもなく、引用例記載の発明及び周知例記載の技術に基いて、当業者が容易に発明をすることができたものである。
　
（４）むすび
　以上のとおり、本願発明は、引用例記載の発明及び周知例記載の技術に基いて、当業者が容易に発明をすることができたものであるから、特許法第２９条第２項の規定により特許を受けることができない。
　したがって、本願は、他の請求項について検討するまでもなく、拒絶されるべきものである。
　よって、結論のとおり審決する。